(57)【要約】【課題】照明ユニットの製造や組み立ての手間を抑え、コストを高くすることなく、光源から出射された光のうち面光源化されない光の割合を減らし、照明ユニットの光の利用効率を高めること。【解決手段】光源８と、導光板９と、光学シート１０と、を有する照明ユニットであって、導光板が、光源から出射される光を入射する入射端面１２と、入射端面と略直交し光を観察者側へと射出する射出面１３と、射出面と対向し光を射出面へと導く光反射面１４と、を備えており、光学シートが、導光板の射出面に対向して導光板より観察者側に設けられ、射出面からの射出光と、光源からの直接出射光と、入射端面からの反射光と、を入射し導光する。【選択図】図１
2012174637.tif 000002
【特許請求の範囲】
【請求項１】
光源と、導光板と、光学シートと、を有する照明ユニットであって、
導光板が、光源から出射される光を入射する入射端面と、入射端面と略直交し光を観察者側へと射出する射出面と、射出面と対向し光を射出面へと導く光反射面と、を備えており、
光学シートが、導光板の射出面に対向して導光板より観察者側に設けられ、射出面からの射出光と、光源からの直接出射光と、入射端面からの反射光と、を入射し導光することを特徴とする照明ユニット。
【請求項２】
光学シートの光源側の端面が、少なくとも導光板の入射端面よりも光源側に配置されていることを特徴とする請求項１に記載の照明ユニット。
【請求項３】
光学シートの光源側の端面が、光源から見て、導光板の反対側まで延びた位置に配置されていることを特徴とする請求項１又は２に記載の照明ユニット。
【請求項４】
光学シートの光源に近い側と、光源から遠い側とで、光学特性が異なることを特徴とする請求項１乃至３の何れかに記載の照明ユニット。
【請求項５】
光学シートが、光透過性の基材と基材から突出したレンズ部を有しており、レンズ部は、光源に近い側と、光源から遠い側とで、レンズ形状もしくはレンズの配列密度が異なることを特徴とする請求項１乃至４の何れかに記載の照明ユニット。
【請求項６】
射出面と光反射面以外の導光板の対向する二面もしくは四面が入射端面となるように、光源が配置されていることを特徴とする請求項１乃至５の何れかに記載の照明ユニット。
【請求項７】
光学シートの屈折率が、導光板の屈折率よりも大きいことを特徴とする請求項１乃至６の何れかに記載の照明ユニット。
【請求項８】
導光板の光学シートとは反対側に、光反射面側から射出する光を反射して再度導光板へ導く反射シートを備え、反射シートが、光源の導光板と反対側にまで延びて存在することを特徴とする請求項１乃至７の何れかに記載の照明ユニット。
【請求項９】
請求項１乃至８の何れかに記載の照明ユニットと、表示画像を規定する画像表示素子からなる画像表示パネルと、を有することを特徴とする表示装置。
【請求項１０】
画像表示素子が、画素単位で光の透過／遮光を選択することにより画像を表示することを特徴とする請求項９に記載の表示装置。
【発明の詳細な説明】
【技術分野】
【０００１】
本発明は、主に画像表示のための照明制御に用いられる照明ユニット及びこれを備えた表示装置に関するものである。
【背景技術】
【０００２】
液晶表示装置（ＬＣＤ）に代表されるフラットパネルディスプレイは、提供される情報を認識するのに必要な照明ユニットを内蔵しているタイプが普及している。この照明ユニットで消費する電力は、液晶表示装置全体で消費する電力の相当部分を占める。従って、所定の輝度を提供するのに必要な照明ユニットの消費電力を低減することは、液晶表示装置全体の省電力化に寄与することができる。
【０００３】
液晶表示装置に使用される照明ユニットとして、主に直下方式とエッジライト方式とが挙げられる。直下方式の照明ユニットは、画像表示パネルの有効領域に対向する全域に光源を多数配置することが可能であるため、大型の（主として２０型以上の）液晶表示装置に適用されている。一方、エッジライト方式の照明ユニットは、光源の配置位置が限定されるため、大型の表示装置に通常は適用できず、主としてノート型パソコン、液晶モニター、携帯情報端末等の小型の表示装置に適用されている。
しかし、最近では、照明ユニット用の光源として、冷陰極管に替わってＬＥＤ（Ｌｉｇｈｔ  Ｅｍｉｔｔｉｎｇ  Ｄｉｏｄｅ  発光ダイオード）が採用され始めたことにより、低消費電力化が図れ、薄型化の容易なエッジライト方式の照明ユニットが、２０型以上の中型または大型の液晶表示装置にも採用され始めている。
【０００４】
一般的に、エッジライト方式の照明ユニットは、導光板と呼ばれる透光性の板の端面に近接した形でのみ光源が配置される構造のため、光源の設置数に限界がある。従って、表示装置が大型になるにつれて表示画面全体を明るくすることが難しくなり、小型の表示装置に適用されたが、特にＬＥＤの改良が進み、前述のように、大型の表示装置への採用も可能になった。光源として使用されるＬＥＤは、寿命やコストダウンの向上とともに、特に輝度を向上させることが重要となる。
【０００５】
輝度を向上させる方法として、前述の光源自体の輝度を向上させることは当然であるが、光源から出た元の光を効率良く導光板へと入射させ、最終的に画像表示パネルに供給されることも重要である。
例えば、導光板の入射端面に光取り込み構造物を形成した場合の照明ユニットの断面の一部を示した図９のように、導光板９の入射端面１２にレンズ形状の光取り込み構造物１６を取り付ける方法がある（特許文献１）。しかし、導光板端面にレンズ形状物を形成することは容易ではなく、また、製造コストも多くかかってしまう。さらに、光源の配置やサイズを変更すると、それに合わせて光取り込み構造物の位置やサイズを変更しなければならないことが多い。
また、上記以外の方法として、光源周囲にリフレクターを取り付けた場合の照明ユニットの断面の一部を示した図１０のように、光源８をリフレクター１７で囲み、導光板９に入射されなかった光を反射し再利用する方法もある（特許文献２）。しかし、この方法もリフレクターの形成に手間がかかり、上記と同様に、製造コストが高くなってしまうという問題が生じる。
【先行技術文献】
【特許文献】
【０００６】
【特許文献１】特開２００２―２５３２６号公報
【特許文献２】特開２００１−３３２１１６号公報
【発明の概要】
【発明が解決しようとする課題】
【０００７】
前述の問題点に対して、本発明が解決しようとする課題は、照明ユニットの製造や組み立ての手間を抑え、コストを高くすることなく、光源から出射された光のうち面光源化されない光の割合を減らす、すなわち、照明ユニットの光の利用効率を高めることである。また、低消費電力化可能な照明ユニット及びこの照明ユニットを備えた表示装置を提供することである。
【課題を解決するための手段】
【０００８】
上記の課題を達成するための手段として、請求項１に記載の発明は、光源と、導光板と、光学シートと、を有する照明ユニットであって、導光板が、光源から出射される光を入射する入射端面と、入射端面と略直交し光を観察者側へと射出する射出面と、射出面と対向し光を射出面へと導く光反射面と、を備えており、光学シートが、導光板の射出面に対向して導光板より観察者側に設けられ、射出面からの射出光と、光源からの直接出射光と、入射端面からの反射光と、を入射し導光することを特徴とする照明ユニットである。
【０００９】
また、請求項２に記載の発明は、光学シートの光源側の端面が、少なくとも導光板の入射端面よりも光源側に配置されていることを特徴とする請求項１に記載の照明ユニットである。
【００１０】
また、請求項３に記載の発明は、光学シートの光源側の端面が、光源から見て、導光板の反対側まで延びた位置に配置されていることを特徴とする請求項１又は２に記載の照明ユニットである。
【００１１】
また、請求項４に記載の発明は、光学シートの光源に近い側と、光源から遠い側とで、光学特性が異なることを特徴とする請求項１乃至３の何れかに記載の照明ユニットである。
【００１２】
また、請求項５に記載の発明は、光学シートが、光透過性の基材と基材から突出したレンズ部を有しており、レンズ部は、光源に近い側と、光源から遠い側とで、レンズ形状もしくはレンズの配列密度が異なることを特徴とする請求項１乃至４の何れかに記載の照明ユニットである。
【００１３】
また、請求項６に記載の発明は、射出面と光反射面以外の導光板の対向する二面もしくは四面が入射端面となるように、光源が配置されていることを特徴とする請求項１乃至５の何れかに記載の照明ユニットである。
【００１４】
また、請求項７に記載の発明は、光学シートの屈折率が、導光板の屈折率よりも大きいことを特徴とする請求項１乃至６の何れかに記載の照明ユニットである。
【００１５】
また、請求項８に記載の発明は、導光板の光学シートとは反対側に、光反射面側から射出する光を反射して再度導光板へ導く反射シートを備え、反射シートが、光源の導光板と反対側にまで延びて存在することを特徴とする請求項１乃至７の何れかに記載の照明ユニットである。
【００１６】
また、請求項９に記載の発明は、請求項１乃至８の何れかに記載の照明ユニットと、表示画像を規定する画像表示素子からなる画像表示パネルと、を有することを特徴とする表示装置である。
【００１７】
また、請求項１０に記載の発明は、画像表示素子が、画素単位で光の透過／遮光を選択することにより画像を表示することを特徴とする請求項９に記載の表示装置である。
【発明の効果】
【００１８】
本発明による光学シートを用いた照明ユニット及びこれを備えた表示装置によれば、エッジライト方式の光源からの直接光もしくは導光板の入射端面で反射された光の一部を、光学シートにより反射もしくは導光させることで、入射端面付近での光のロスを減らし再利用できるので、導光板や光学シートを通して射出される光の利用効率を高めることができる。それにより、照明ユニット及び表示装置の消費電力を抑えることが可能となる。また、光学シートを光源上近傍に延長して配置するだけで効果を得ることができるため、製造や組み立てのコストを現状以上に増やすことなく上述の効果を得ることができる。
【図面の簡単な説明】
【００１９】
【図１】本発明の実施の形態による表示装置の一例を分離状態で示す要部断面図である。
【図２】本発明の実施の形態による照明ユニットの一例の断面の一部を示した図である。
【図３】従来の形態による照明ユニットの断面の一部を示した図である。
【図４】本発明の実施の形態による照明ユニットの他の例の断面の一部を示した図である。
【図５】本発明に用いる光学シートの（ａ）、（ｂ）、（ｃ）、３つの構造例を説明するための模式断面図である。
【図６】本実施例と比較例における照明ユニットの輝度変化を光源と導光板との距離に対してプロットして比較した測定結果である。
【図７】本実施例と比較例における照明ユニットの輝度比の平面分布を光源から導光板に向かう方向にプロットした測定結果である。
【図８】本実施例と比較例における照明ユニットの輝度比の平面分布を図７とは垂直な方向（図７の紙面に垂直な方向）にプロットした測定結果である。
【図９】導光板の入射端面に光取り込み構造物を形成した従来の照明ユニットの断面の一部を示した図である。
【図１０】光源周囲にリフレクターを取り付けた従来の照明ユニットの断面の一部を示した図である。
【発明を実施するための形態】
【００２０】
以下に、本発明の実施形態による照明ユニットとこの照明ユニットを備えた表示装置について、図面に従って説明する。なお、図１から図１０は、模式的に示した図であり、各部の大きさ、形状は、理解を容易にするために適宜誇張して示している。
図１は、本発明の実施の形態による表示装置の一例を分離状態で示す要部断面図であり、表示装置１は、画像表示パネル２と、この画像表示パネル２への光入射方向Ｋに臨ませて配置された照明ユニット３とを備えている。
最も観察者側Ｆに近く配設された画像表示パネル２は、例えば液晶表示パネルから構成され、その場合、２枚のガラス基板の間に液晶層が充填された画像表示素子６が表示画像を規定する機能を有し、２枚の偏光板（偏光フイルム）４、５の間に挟持されて、画像表示パネル２を構成する。
【００２１】
前記表示画像を規定する画像表示素子６は、画素単位で光の透過／遮光を選択することにより画像を表示する素子であることが望ましい。画素単位で光を透過／遮光して画像を表示するものであれば、低消費電力化した本発明の照明ユニット３をバックライトとして利用して、表示装置１の表示性能に直接寄与することができる。画像表示素子６として選
択される液晶表示素子は、画素単位で光を透過／遮光して画像を表示する代表的な素子であり、他の表示素子と比べて、画像品位を高くすることができる。
【００２２】
照明ユニット３は、エッジライト型の照明装置であり、画像表示パネル２の光入射方向Ｋに臨ませて配置されており、光の光路に沿って光源８、導光板９、光学シート１０を含んで構成されている。導光板９は、光源８から射出される光を入射する入射端面１２と、前記入射端面と略直交し入射光を観察者側へと射出する射出面１３と、前記射出面と対向し前記入射光のうち直接射出されなかった光を前記射出面へと導く光反射面１４と、を備えている。
【００２３】
また、光学シート１０は、元来、照明ユニットの射出面からの出射光の光学特性を制御する目的で、画像表示パネルと射出面との間に配置される独立したシートであり、前記射出面１３からの射出光を入射し導光して画像表示パネル２への入射光Ｋとして出射する。本発明においては、上記の機能に加えて、前記光源８から直接出射される光の一部もしくは前記入射端面１２により反射される光の一部を、光学シート１０が、反射もしくは入射し導光することにより、照明ユニット３の一部として光の利用効率を高める機能も果たすことに特徴がある。なお、光学シートにより反射された光は、導光板９の光反射面１４や導光板の外周部に配置される後述の反射シート１１により、再び光学シートに戻り、前記光源８から直接出射される光や前記入射端面１２により反射される光の内、光学シートに入射し導光した光とともに、画像表示パネル２への入射光Ｋとして有効利用される。
【００２４】
また、導光板９の背面側、すなわち光学シート１０とは反対側に、反射シート１１が設けられている。反射シート１１は、後述の光反射面１４側から射出する光を反射して再度導光板９へ導く機能を備え、光源８の導光板９と反対側にまで延びて存在し、光源８と導光板９の外周部で、光学シートが配置される観察者側を除く方向全体を覆うことが好ましい。反射シート１１は、光源８からの直接出射光や他の部分からの反射光の内、観察者側以外に向かう光を全て反射して、導光板９や光学シート１０に入射させることができる。
【００２５】
光源８としては、例えば線状光源や点状光源が挙げられる。線状光源としては、ＣＣＦＬやＨＣＦＬ、ＥＥＦＬ等の蛍光管が挙げられる。点状光源としては、ＬＥＤが挙げられ、ＬＥＤとしては白色ＬＥＤやＲＧＢ−ＬＥＤ等が挙げられる。図１では、光源８が導光板９の１つの端面に配置された例を示しているが、これに限定されるものではなく、対向する２つの端面に配置される場合、または４つの端面に配置される場合なども採用できる。このとき、導光板９の形状は、図１に示すような平板形状であってもよく、或いは楔形状であってもよい。
【００２６】
導光板９の観察者側Ｆに配設された射出面１３に対向する面に光反射面１４が形成されている。光反射面１４は、光源８からの入射光のうち直接射出面１３から射出されない光を導光板８内の様々な方向に反射させ、射出面１３側に向かわせるための面であり、光反射面１４には入射光を反射させるための複数の光学構造物１５が設けられている。
光学構造物１５としては、例えば白色拡散反射ドットが印刷されて配設されている。また別の例として、マイクロレンズ形状やプリズム形状等の構造物が形成されていてもよい。
【００２７】
光源８と導光板９は、近接して配置されているが、一体化されてはいない。つまり、光源８と導光板９との間には空気層が介在している。その間隔は、できるだけ小さい方が望ましいが、組み立て時に若干の隙間が生じてしまう。また、導光板９の熱膨張により、温度条件によっては１ｍｍ以上の隙間が生じてしまうことも少なくない。このように隙間が生じてしまうと、従来の形態による照明ユニットの断面の一部を示した図である図３の矢印のように、光源８からの直接光もしくは導光板９の入射面１２により反射された光が外部に抜けて捕捉できなくなり、有効利用することができない。
【００２８】
そこで、本発明の実施形態による照明ユニット３においては、光学シート１０を、光源８からの直接光もしくは導光板９の入射端面１２で反射された光の一部を反射もしくは入射し導光させるように配置した。図２は、図１を局部的に詳しく説明するために、本発明の実施の形態による照明ユニットの一例の断面の一部を示した図である。種々の矢印で光の経路を示すように、光学シート１０により反射した光もしくは入射し導光した光を再利用することができる。光の再利用には、前述の反射シート１１も寄与している。その結果、光源８から射出された光のうち導光板９内部に入射される光や光学シート１０から有効範囲内において射出される光の割合を高めることができる。つまり、利用効率を高めることができる。
【００２９】
図２に示すように、光学シート１０の光源８側の端面は、少なくとも導光板９の入射端面１２よりも光源８側に配置されていると良い。こうすることで、光源８からの直接光もしくは導光板９の入射端面１２で反射された光を、光学シート１０により反射もしくは導光させることができる。
【００３０】
さらに、より好ましくは、光学シート１０の光源８側の端面は、光源８から見て、導光板９の反対側まで延びた位置に配置されていると良い。つまり、光源８の観察者側にまで光学シート１０が充分に覆っていると良い。こうすることで、光源から直接外部に抜けて捕捉できなくなる光を最小限に抑えることができ、その結果、照明ユニットの利用効率を高めることができる。
【００３１】
本実施形態による照明ユニット３は、光学シート１０を導光板９の入射端面１２よりも光源８側に配置するだけで良いので、製造コストを高めることなく、また、組み立てコストも高めることは無い。より具体的には、光学シート１０を数ｍｍ大きく作製して照明ユニット３の下部に載せるだけで可能である。
【００３２】
また、本実施形態による照明ユニット３は、光の利用効率を高めることができるため、画像表示パネル２で利用する光量を等しくする場合は、光源８の発光光量を抑えることができ、照明ユニット３及びこれを備えた表示装置１を低消費電力化することができる。
【００３３】
光学シート１０としては、マイクロレンズシートや、表面に凹凸のある拡散シート、屈折率の異なる微粒子が混入している拡散シート、プリズムシートやレンチキュラーレンズシートなどの集光シート、偏光分離シートなどが挙げられる。それらを複数枚重ねても良い。
【００３４】
さらに、光学シート１０は、光源８に近い側と光源８から遠い側とで、光学特性が異なると良い。図５は、本発明に用いる光学シートの（ａ）、（ｂ）、（ｃ）、３つの構造例を説明するための模式断面図である。例えば、図５（ａ）のように、光学シート１０は、光透過性の基材２１と基材２１から突出したレンズ部２２を有しており、このレンズ部２２は、光源８に近い側（図の左側）と光源８から遠い側（図の右側）とで、レンズ形状が異なると良い。その他、図５（ｂ）のように、レンズ形状は変化していなくとも、レンズ配列密度が異なっていても良い。また、図５（ｃ）のように、レンズの延在方向が変化していても良い。このようにすることで、光源８に近い側（図の左側）では、画像表示パネル方向への出射光の透過率を減らし反射率を高めたり、入射した光のうち光源８から遠い方向（図の右側）へと導光させる光量を増やしたりすることができ、照明ユニットの機能の面内均一性を高めることができる。上記の理由で、例えば、光源８に近い側では、（ａ）のようにレンズ形状は鋭い方が良く、また、（ｂ）のようにレンズ密度は高い方が良い。
【００３５】
また、導光板９の射出面１３と光反射面１４以外の導光板９の対向する二面もしくは四面が入射端面１２となるように、光源８が配置されていると、本発明の効果を得やすい。つまり、光源８が、対向する２つの端面、または４つの端面に配置されていると良い。
【００３６】
光源８が１つの端面にしか配置されていない場合は、導光板９に熱膨張・収縮があっても、入射端面１２に対向する端面を固定しなければ、光源８と導光板９の間隔を大きく変化させないことができる。しかし、２つの端面、または４つの端面に配置した場合には、熱膨張・収縮により、長さの変化分は必ず光源８と導光板９との間の隙間に影響が生じてしまうことになる。そのため、光源８の点灯直後と点灯後数時間後とで、隙間が変化してしまい、画面輝度が変化してしまう。隙間が拡大すると、その隙間から外部に抜けて捕捉できなくなる光が増えるためである。しかし、本発明を用いることで、外部に抜ける光を捕捉することができるため、隙間が変化しても、画面輝度に与える影響は小さい。つまり、本発明は、光源８と導光板９とのアライメントずれに対して、光学特性を大きく変化させない。よって、特に、光源８が２つの端面または４つの端面に配置された場合において、点灯直後と数時間後との輝度差を最小限に抑えることが可能となる。
【００３７】
また、導光板９の射出面１３からの射出光の空間輝度分布の傾向が、光源８から遠ざかるにつれて明るくなっている場合にも、本発明の効果を有効に得ることができる。光学シート１０により再利用される光の方向は、観察者方向に対して、比較的小さな角度になる。導光板９に入射した光も比較的小さな角度になるので、導光板９を導光する際に、光反射面１４に設けられた光学構造物１５にあたる確率が大きい。そのため、入射直後に光学構造物１５により、射出面１３からの射出光が多くなる。つまり、本発明を用いることで、光源８に近い側ほど明るくなる。また、光学シート１０内部を導光する光も、導光板９内部を導光する光に比べて、光源８に近い側では射出されやすいために、光源８に近い側ほど明るくなる。この傾向は、光源８と導光板９との距離が大きくなるほど大きくなるため、前記光源８と導光板９とのアライメントずれが無いときに、導光板９の射出面１３からの射出光の空間輝度分布の傾向が、光源８から遠ざかるにつれて明るくなっている方が、点灯後に時間経過とともにアライメントにずれが生じてしまったときに、空間輝度分布を均一にする方向の変化とすることができる。
【００３８】
導光板９や光学シート１０は、光透過性基材上にＵＶ硬化樹脂や放射線硬化樹脂を用いて成形されるか、またはＰＥＴ（ポリエチレンテレフタレート）、ＰＣ（ポリカーボネート）、ＰＭＭＡ（ポリメチルメタクリレート）、ＣＯＰ（シクロオレフィンポリマー）等を用いて、当該技術分野では良く知られている押し出し成形法、射出成形法、あるいは熱プレス成形法によって形成することができる。
【００３９】
ただし、光学シート１０の屈折率は、導光板９の屈折率よりも大きい方が好ましい。物質界面でのフレネル反射の光量は、界面前後での屈折率差が大きいほど、大きくなる。そのため、光学シート１０の屈折率を大きくすることで、本発明により反射し再利用可能となった光のうち、光学シート１０に入射する光量よりも導光板９に入射する光量を増やすことができる。特に、多重反射が大きくなると、この屈折率差が有効になる。
【００４０】
導光板９の光学シート１０とは反対側に、光反射面１４側から射出する光を反射して再度前記導光板９へ導く反射シート１１をさらに備えており、反射シート１１は光源８の反対側にまで存在していることが望ましい。こうすることで、光源８と導光板９を含む領域の外周は、略反射シート１１と光学シート１０により囲まれることになり、光学シート１０による反射光は、多重反射を繰り返すことにより、結果として、入射効率を高めることが可能となる。
【００４１】
なお、本発明は上述した実施形態に限定されるものではなく、その趣旨を逸脱しない範
囲内で適宜変更可能である。
例えば、本発明の実施の形態による照明ユニットの他の例の断面の一部を示した図である図４のように、入射面１２に光取り込み構造物１６を形成しても良い。この場合においても、本発明の効果を得ることができるためである。光取り込み構造物１６としては、図４に示したようにプリズム形状でも良いし、曲面形状でも良い。さらに、特定の形状でなくてもランダムな凹凸のついた形状も可能である。
【実施例】
【００４２】
以上、本発明の実施形態による照明ユニット３及びこれを備えた表示装置１について説明したが、照明ユニット３は表示装置１のみに適用されるものではない。すなわち光源８から射出された光を効率的に射出する機能を有する照明ユニット３として例えば液晶表示装置以外の他の表示装置や照明装置などにも使用できる。
以下、本発明の実施例について詳細に説明するが、本発明は以下の実施例のみに限定されるものではないことはいうまでもない。
【００４３】
照明ユニット３として、次のものを用意した。アクリル製の導光板９の１辺に光源８として白色ＬＥＤを配置した。導光板９は、光反射面１４には光学構造物１５として白色のドットパターンが六方配置で規則的に形成されている。導光板９の観察者側には、光学シート１０として、拡散シート、プリズムシート、偏光分離シートを順次重ねて照明ユニット３を構成した。ここで、光源８と導光板９との間隔を０．２ｍｍ、１．０ｍｍ、１．６ｍｍ、２．５ｍｍと変化させた。本発明の実施形態を満たすように、光学シート１０を配置した。また、本発明の実施形態を満たさないように、すなわち光学シート１０が光源８から直接射出される光や入射端面１２で反射される光を受けないように、光学シート１０を配置したものを比較例とした。
【００４４】
実施例と比較例の照射ユニットの有効面の中央における正面輝度と正面輝度の平面分布を測定した。中央における輝度は（株）トプコン製の分光放射輝度計ＳＲ−３Ａにて測定し、輝度の平面分布はサイバネットシステム（株）製の空間輝度計ＰｒｏＭｅｔｒｉｃ（ＰＭ―１２００）にて測定した。
図６は、本実施例と比較例における照明ユニットの中央における輝度変化を光源と導光板間の距離に対してプロットして比較した測定結果である。
また、図７は、本実施例と比較例における照明ユニットの輝度比の平面分布を光源から導光板に向かう方向にプロットした測定結果である。
また、図８は、本実施例と比較例における照明ユニットの輝度比の平面分布を図７とは垂直な方向（図７の紙面に垂直な方向）にプロットした測定結果である。
【００４５】
図６は、光源−導光板間距離を０．２ｍｍとした比較例の輝度を１．０とし、その輝度比であらわしている。光源−導光板間距離が大きくなるほど、輝度比が小さくなるが、本実施例はどの点においても比較例の輝度比を上回っている。また、本実施例は、比較例と比較して、輝度は光源−導光板間距離に対して大きく変化していない。
【００４６】
図７は、光源−導光板間距離を最大の２．５ｍｍとしたときの実施例の輝度の平面分布を比較例の輝度の平面分布で割った輝度比を、光源からの距離に対してプロットしたものである。図８は、図７と同様の測定方法を図７と直交する方向に対して実行したものである。輝度比は、画面のどの位置においても１．０を上回っている。また、光源に近いほど輝度比は大きい。光源からの距離が変わらない図８に関しては、輝度比はほぼ均一である。
【００４７】
上述した試験結果から、本発明により、光源―導光板間距離や照明ユニットの場所に寄らず、輝度は高くすることができた。また、光源―導光板間距離が大きいほど、また、光
源に近い側ほど、輝度を高くする効果が大きかった。
【符号の説明】
【００４８】
１・・・表示装置
２・・・画像表示パネル
３・・・照明ユニット
４、５・・・偏光板
６・・・画像表示素子
８・・・光源
９・・・導光板
１０・・・光学シート
１１・・・反射シート
１２・・・入射端面
１３・・・射出面
１４・・・光反射面
１５・・・光学構造物
１６・・・光取り込み構造物
１７・・・リフレクター
２１・・・基材
２２・・・レンズ部
【図１】
2012174637.tif 000003
【図２】
2012174637.tif 000004
【図３】
2012174637.tif 000005
【図４】
2012174637.tif 000006
【図５】
2012174637.tif 000007
【図６】
2012174637.tif 000008
【図７】
2012174637.tif 000009
【図８】
2012174637.tif 000010
【図９】
2012174637.tif 000011
【図１０】
2012174637.tif 000012